(57)【特許請求の範囲】
【請求項１】
天井に取り付けられる器具本体と、器具本体に取り付けられて蛍光ランプが着脱自在に装着されるソケットと、ソケットを介して電力が供給されて蛍光ランプを点灯させる安定器とを備えた照明器具であって、器具本体は、天井に設けられて器具本体を取り付ける取付装置に対応する位置に形成された取付孔を有するベース本体と、ベース本体の安定器が取り付けられる面を覆い隠す金属製の本体カバーと、本体カバーの下側に取り付けられる蛍光ランプと本体カバーとの間で器具本体を覆い隠す樹脂製の化粧カバーとを備えたことを特徴とする照明器具。
【請求項２】
前記化粧カバーは、取付装置に対応する位置に開口部を有し、該開口部に、上方に突出して本体カバーと化粧カバーとを隔てる突壁を内周に亘って形成したことを特徴とする請求項１記載の照明器具。
【請求項３】
前記化粧カバーは、開口部を塞ぐアダプタカバーを備え、該アダプタカバーに、化粧カバー側の面において化粧カバーの突壁に覆われる空間に填まり込む嵌合片を形成したことを特徴とする請求項２記載の照明器具。
【発明の詳細な説明】
【技術分野】
【０００１】
本発明は、天井取付型の照明器具に関する。
【背景技術】
【０００２】
従来、天井取付型の照明器具には、器具本体に蛍光ランプを点灯させる安定器を内蔵するとともに器具本体の下面に蛍光ランプ及びランプカバーを備えて構成されて、天井面に配設された取付装置（例えば引掛シーリング）にアダプタを介して電気的、機械的に取り付けられるものが知られている（例えば特許文献１参照）。この種の照明器具としては、安定器としてプリント基板に電子部品を実装して成る電子式安定器を用いるのが一般的であり、電子式安定器はベース本体と本体カバーから成る器具本体内部に収納される。これらベース本体と本体カバーは、極めて低い可能性ではあるが、電子式安定器が万が一にも燃焼することで生じる類焼を防ぐために、安全性を考慮して金属で形成されることが多い。
【特許文献１】特開平７−２１８１２号公報
【発明の開示】
【発明が解決しようとする課題】
【０００３】
しかしながら、蛍光ランプを器具本体の下側に配置するために、点灯中の蛍光ランプが発する熱が金属製の本体カバーを通して電子式安定器に伝導し、電子式安定器の温度が上昇することによって劣化及び故障等の悪影響を電子式安定器に与えるという問題があった。また、本体カバーが金属製であるために形状を容易に変更し難く、外観的に見栄えをよくすることが難しいという問題があった。
【０００４】
本発明は、上記の点に鑑みて為されたもので、蛍光ランプからの熱が安定器に伝わるのを防ぐことができ且つ外観的に見栄えをよくすることのできる照明器具を提供することを目的とする。
【課題を解決するための手段】
【０００５】
請求項１の発明は、上記目的を達成するために、天井に取り付けられる器具本体と、器具本体に取り付けられて蛍光ランプが着脱自在に装着されるソケットと、ソケットを介して電力が供給されて蛍光ランプを点灯させる安定器とを備えた照明器具であって、器具本体は、天井に設けられて器具本体を取り付ける取付装置に対応する位置に形成された取付孔を有するベース本体と、ベース本体の安定器が取り付けられる面を覆い隠す金属製の本体カバーと、本体カバーの下側に取り付けられる蛍光ランプと本体カバーとの間で器具本体を覆い隠す樹脂製の化粧カバーとを備えたことを特徴とする。
【０００６】
請求項２の発明は、請求項１の発明において、化粧カバーは、取付装置に対応する位置に開口部を有し、該開口部に、上方に突出して本体カバーと化粧カバーとを隔てる突壁を内周に亘って形成したことを特徴とする。
【０００７】
請求項３の発明は、請求項２の発明において、化粧カバーは、開口部を塞ぐアダプタカバーを備え、該アダプタカバーに、化粧カバー側の面において化粧カバーの突壁に覆われる空間に填まり込む嵌合片を形成したことを特徴とする。
【発明の効果】
【０００８】
請求項１の発明によれば、天井に取り付けられる器具本体と、器具本体に取り付けられて蛍光ランプが着脱自在に装着されるソケットと、ソケットを介して電力が供給されて蛍光ランプを点灯させる安定器とを備えた照明器具であって、器具本体は、天井に設けられて器具本体を取り付ける取付装置に対応する位置に形成された取付孔を有するベース本体と、ベース本体の安定器が取り付けられる面を覆い隠す金属製の本体カバーと、本体カバーの下側に取り付けられる蛍光ランプと本体カバーとの間で器具本体を覆い隠す樹脂製の化粧カバーとを備えたので、点灯中の蛍光ランプが発する熱が金属製の本体カバーを通して安定器に伝導するのを樹脂製の化粧カバーによって抑えることができ、したがって劣化及び故障等の悪影響を安定器に与えるのを防ぐことができる。また、形状を容易に変更することのできる樹脂製のカバーで器具本体を覆い隠すので、外観上の見栄えをよくすることができる。
【０００９】
請求項２の発明によれば、化粧カバーは、取付装置に対応する位置に開口部を有し、該開口部に、上方に突出して本体カバーと化粧カバーとを隔てる突壁を内周に亘って形成したので、本体カバーと化粧カバーとの間に上下方向において一定の間隔を空けた空間を形成することができ、したがって蛍光ランプの点灯による熱が本体カバーを通して安定器に伝導するのを防ぐことができる。
【００１０】
請求項３の発明によれば、化粧カバーは、開口部を塞ぐアダプタカバーを備え、該アダプタカバーに、化粧カバー側の面において化粧カバーの突壁に覆われる空間に填まり込む嵌合片を形成したので、アダプタカバーが下方向に突出する量を小さくすることができ、したがって薄型の照明器具を実現することができる。
【発明を実施するための最良の形態】
【００１１】
以下、本発明の実施形態について図面を用いて説明する。本実施形態は、図１に示すように、天井に取り付けられる器具本体２と、器具本体２に取り付けられて蛍光ランプ１が着脱自在に装着されるソケット３０と、ソケット３０を介して電力が供給されて蛍光ランプ１を点灯させる安定器５とを備えた照明器具であって、器具本体２は、天井に設けられて器具本体２を取り付ける引掛シーリングボディ（図示せず）に対応する位置に形成された取付孔３１を有するベース本体３と、ベース本体３の安定器５が取り付けられる面を覆い隠す金属製の本体カバー４と、本体カバー４の下側に取り付けられる蛍光ランプ１と本体カバー４との間で器具本体２を覆い隠す樹脂製の化粧カバー６とを備えている。
【００１２】
蛍光ランプ１は二重環形蛍光ランプであり、図１に示すように、環径の大きい略Ｃ字状の蛍光ランプ部１ａと、環径の小さい略Ｃ字状の蛍光ランプ部１ｂと、各蛍光ランプ部１ａ、１ｂそれぞれの両端部を保持し且つ後述するソケット３０に着脱自在に装着される口金１０とから成る。
【００１３】
器具本体２は、前述のようにベース本体３と本体カバー４と化粧カバー６とから成り、その内部には、後述するアダプタ９を保持するホルダ３２と、蛍光ランプ１を点灯させる安定器５と、安定器５が取り付けられる取付板３３とを収納している。また、後述する本体カバー４のソケット用切り欠き４１及び化粧カバー６のソケット装着部６３を通してソケット３０がソケット取付部３５に取り付けられている。
【００１４】
ベース本体３は、図１に示すように、金属板から成り、略円板状の主部３ａと、主部３ａの全周縁から下方に突出する側壁３ｂとを一体に形成した有底円筒状になっている。側壁３ｂの一部にはソケット取付部３５が切り欠いて設けられており、該ソケット取付部３５に後述するソケット３０の基部３０ａが取り付けられる。主部３ａの略中央には、天井に設けられた引掛シーリングボディを挿通させる略円形状の取付孔３１が設けられており、取付孔３１の周縁には、下方に突出した略長円形状の段部３１ａが形成されている。この段部３１ａにホルダ３２がネジ止めによって取り付けられる。
【００１５】
アダプタ９は、図３、４に示すように、略円柱状に形成され、該アダプタ９に設けられた１対の引掛刃（図示せず）を引掛シーリングボディに設けられた差し込み口（図示せず）に差し込むことで機械的且つ電気的に結合される。アダプタ９の下面には、引掛シーリングボディを介して商用電源（図示せず）と接続される電源線９ａの一端が接続されており、電源線９ａの他端を後述する安定器５と接続することで、引掛シーリングボディ及びアダプタ９を介して商用電源から安定器５に電力を供給する。また、アダプタ９の外周縁には、図示しないがホルダ３２と係合するための係合爪（図示せず）が進退自在に突出して設けられている。
【００１６】
ホルダ３２は、図１に示すように、略長円形状の板状の部材から成り、略中央には引掛シーリングボディ及びアダプタ９を挿通自在とする略円筒状の筒部３２ａが上下方向に貫通して形成されている。筒部３２ａの内周縁には、図示しないが係合溝が設けられており、アダプタ９の外周縁に設けられた係合爪と係合することでアダプタ９がホルダ３２に保持される。
【００１７】
取付板３３は、図１に示すように、略矩形状に形成され、略中央にはホルダ３２を下方に臨ませる略長円形状のホルダ挿通孔３３ａが上下方向に貫通して形成されている。ホルダ挿通孔３３ａの周縁には、周方向に亘って下方に突出する壁部３３ｂが形成されており、アダプタ９を引掛シーリングボディに取り付けた状態において、壁部３３ｂに覆われた空間にホルダ３２及びアダプタ９が配置されるようになっている。
【００１８】
安定器５は、図１に示すように、略環形状のプリント配線板５ａ上に電子部品５ｂを搭載することで構成され、取付板３３の壁部３３ｂとベース本体３の側壁３ｂとの間に収納されるように取付板３３に取り付けられる。
ソケット３０は、図１に示すように、ベース本体３のソケット取付部３５に取り付けられる基部３０ａと、後述する化粧カバー６のソケット装着部６３に収納されて蛍光ランプ１の口金１０が蛍光ランプ１の径方向に対して直交する向きに着脱可能な受金部３０ｂとから成る。尚、ソケット３０は周知であるので、ここでは詳細な説明は省略する。
【００１９】
本体カバー４は、図１に示すように、金属板で略円形状に形成され、略中央には取付板３３の壁部３３ｂを挿通させる略長円形状の長孔４０が上下方向に貫通して形成されている。本体カバー４の外周縁には、ベース本体３の外周縁に設けられたソケット取付部３５と対向する位置に、ソケット３０を下方に臨ませるためのソケット用切り欠き４１が設けられている。
【００２０】
化粧カバー６は、図１に示すように、樹脂材料で形成され、略円形状の化粧カバー本体６ａと、化粧カバー本体６ａの全周縁から上方に突出する周壁６ｂとを一体に形成した有底円筒状となっている。化粧カバー本体６ａの略中央にはアダプタ９を下方に臨ませるための略円形状の開口部６４が上下方向に貫通して形成されており、該開口部６４の内周縁には、周方向に亘って上方へと突出する突壁６５が形成されている。該突壁６５の上端部が本体カバー４の長孔４０の周縁と当接することで、本体カバー４と化粧カバー本体６ａとの間に上下方向において一定の間隔を空けるようにしている。
開口部６４の近傍には、開口部６４を塞ぐことでアダプタ９を覆い隠すアダプタカバー７を取り付けるための略円筒状の２つの固定部６２が一定の間隔を空けて形成されている。また、固定部６２の近傍には、後述するアダプタカバー７のリモコン受信器７２内に一端が引き込まれる電線Ｌを挿通する電線挿通孔６７が設けられており、該電線挿通孔６７と本体カバー４に設けられた電線挿通孔４２とを通して電線Ｌの他端が安定器５と接続される（図３参照）。
該固定部６２と開口部６４を挟んで反対側には、アダプタカバー７を化粧カバー６に保持するためのロック部６１が設けられている。該ロック部６１は、上方へと略円形状に窪んでおり、略中央には後述するアダプタカバー７の爪部７５が係止される係止突起６１ａが下方へ突設されている（図３参照）。
ロック部６１及び固定部６２の外側には、それぞれ組立ネジ（図示せず）を挿通するためのネジ挿通孔６６が設けられており、該ネジ挿通孔６６と本体カバー４においてこれらネジ挿通孔６６と対向する位置に設けられた挿通孔（図示せず）に組立ネジを挿通することで化粧カバー６を本体カバー４にネジ止めする。
側壁６ｂには、本体カバー４のソケット用切り欠き４１と対向する位置にソケット３０の受金部３０ｂを下方に臨ませるために下面を開口した略箱体のソケット装着部６３が設けられている。
【００２１】
化粧カバー本体６ａの中心を挟んでソケット装着部６３の反対側には、蛍光ランプ１を支持するランプ支持具６０が２つ一定の間隔を空けて設けられている。ランプ支持具６０は、金属板から成り、蛍光ランプ１を支持した状態で蛍光ランプ部１ｂの内周面から蛍光ランプ部１ａの下面までを覆う支持部６０ａと、一端が化粧カバー６に取り付けられて他端が支持部６０ａに連設された脚部６０ｂとを一体に形成されている。このように蛍光ランプ１の下面を覆うことで、蛍光ランプ１が落下しないように確実に支持することができる。
【００２２】
また、支持部６０ａは、蛍光ランプ部１ｂを引っ掛けて固定し、蛍光ランプ部１ａの上側が外部に臨むように開口されているので、蛍光ランプ１の取り付け及び取り外しの作業を容易に行うことができる（図７（ａ）参照）。
【００２３】
アダプタカバー７は、図２に示すように、下面を開口した略有底円筒形状のボディ７０と、上面を開口した略有底円筒形状のカバー７１とから成り、何れも透光性の樹脂材料から形成される。アダプタカバー７の内部には、発光ダイオード（以下、「ＬＥＤ」と呼ぶ）７３ａから成る常夜灯７３と、安定器５を制御して蛍光ランプ１及びＬＥＤ７３ａの点灯状態を切り換える制御回路（図示せず）を備えた断面半円形状の箱体で形成されたリモコン受信器７２とが収納される。リモコン受信器７２は、図示しないリモコン発信機から送信されるリモコン信号（赤外線を伝送媒体とする無線信号）を受信する受信センサ７２ａを備えている。また、リモコン受信器７２には、図示しないがＬＥＤ７３ａの点灯回路が内蔵されており、ＬＥＤ７３ａと図示しない配線によって接続されている。ＬＥＤ７３ａは、略矩形状の２枚の装着板７３ｂにそれぞれ複数（図示では４つ）取り付けられ、該装着板７３ｂはボディ７０上面の内側に設けられた断面略コ字状の２対の角柱７０ｂにそれぞれ下方からスライドして嵌合し、ＬＥＤ７３ａの発光面がアダプタカバー７の外側を向くように取り付けられる。
【００２４】
ボディ７０上面の略中央は、下方へと窪んだ窪み部７０ａが形成されており、アダプタカバー７で化粧カバー６の開口部６４を塞いだ状態において、この窪み部７０ａにアダプタ９の電源線９ａを逃がすことができる（図５参照）。また、ボディ７０上面の周縁やや内側には、周方向に亘って上方へと突出する嵌合片７７が形成されている。該嵌合片７７は、アダプタカバー７で化粧カバー６の開口部６４を塞ぐ状態において、化粧カバー６の突壁６５で覆われる空間に填まり込むようになっている。このようにすることで、アダプタカバー７が化粧カバー６の下方へ突出する長さを低減することができる。
カバー７１下面の略中央には、リモコン受信器７２の下面を下方に臨ませるための略半円形状の半円孔７１ａが上下方向に貫通して形成されている。カバー７１の外周縁には、略Ｌ字形状の嵌合部７１ｂが周方向に亘って一定の間隔を空けて４箇所に形成され、後述する蛍光ランプ１を覆うセード８が取り付けられる。また、カバー７１下面の内周縁には、下方へと突出する係止片７１ｃが２つ形成されており、カバー７１下面を覆う略円盤状の化粧板７６に設けられた係止孔（図示せず）に係止することで化粧板７６がカバー７１に取り付けられる。
【００２５】
カバー７１の外周縁の一部には、略円筒状の可動部７４が一体に形成されており、該可動部７４を化粧カバー６に設けられた２つの固定部６２の間に嵌め込み、ビス７８で止めることで、アダプタカバー７は可動部７４及び固定部６２の中心軸に対して回動自在に支持される。また、カバー７１の外周縁における可動部７４と反対側の位置には、化粧カバー６のロック部６１に係止する略円形状の爪部７５が外側に突出して形成されている。該爪部７５の略中央には、図示していないが開口が設けられており、この開口にロック部６１の係止突起６１ａを係止することで、アダプタカバー７が化粧カバー６に保持される。
【００２６】
セード８は、透光性の樹脂材料で球体の一部を切り取った形状に形成され、略中央には上方へと窪んだ凹部８２を形成している。該凹部８２の略中央には、アダプタカバー７を下方に臨ませる略円形状のアダプタカバー挿通孔８０が上下方向に貫通して形成されている。該アダプタカバー挿通孔８０の周縁には、内側へと突出する略矩形状の保持片８１が周方向において一定の間隔を空けて４つ形成されており、該保持片８１をアダプタカバー７のカバー７１の嵌合部７１ｂに差込み回転することでセード８がアダプタカバー７に取り付けられる（図５参照）。
【００２７】
上述のように、金属製の本体カバー４を樹脂材料から成る化粧カバー６で覆い、化粧カバー６の下方に蛍光ランプ１が配置されるようにしたので、化粧カバー６によって点灯中の蛍光ランプが発する熱が本体カバー４に伝導するのを抑えることができ、したがって安定器５にも熱が伝わるのを抑えることができるので、安定器５の熱による劣化及び故障等を防止できる。また、化粧カバー６は樹脂材料から成るために、金属と比べてデザインを重視した形状に形成しやすく、したがって金属製の本体カバー４のみの場合と比較して外観上の見栄えをよくすることができる。
【００２８】
また、化粧カバー６の開口部６４の内周縁に周方向に亘って上方へと突出する突壁６５を形成したので、本体カバー４と化粧カバー本体６ａとの間に上下方向において一定の間隔を空けることができ、したがって蛍光ランプ１の点灯による熱が本体カバー４を通して安定器５に伝導するのを抑える効果を高めることができる。
ところで、蛍光ランプ１の着脱の際、蛍光ランプ１をソケット３０に装着した状態で蛍光ランプ１を下方向に引っ張ることでランプ支持具６０から取り外そうとすると、ランプ支持具６０の脚部６０ｂが塑性変形を起こし、ランプ支持具６０の弾性が失われてしまうので好ましくない（図７（ｂ）参照）。そこで、蛍光ランプ１を取り外す場合は、蛍光ランプ１をソケット３０から外し、蛍光ランプ１をランプ支持具６０から外方向に押し出すことで行うのが望ましい（図８参照）。
この場合、図９に示すように、蛍光ランプ１を外側に押し出す力をベクトルＡ、ベクトルＡの分力で且つ器具本体２の中心とランプ支持具６０とを結ぶ線上において蛍光ランプ１が外側へと押し出される力をベクトルＢ、ベクトルＡの分力で且つベクトルＢと垂直な方向に向かう分散力をベクトルＣとした場合に、ベクトルＡの大きさを一定にすると、ベクトルＢの大きさがベクトルＣの大きさを越えなければ蛍光ランプ１を外側へ押し出して取り外すことができない。
そこで、ベクトルＢの大きさがベクトルＣの大きさを越えるためには、各ランプ支持具６０と器具本体２の中心とを結ぶ線が成す角度が鋭角、すなわち９０°未満であることが必要であり、このようにランプ支持具６０を配置することで、蛍光ランプ１を容易に押し出して取り外すことができる。本実施形態では、図６（ｂ）に示すように、２つのランプ支持具６０を器具本体２の中心を挟んでソケット３０の反対側に配置し、各ランプ支持具６０と器具本体２の中心とを結ぶ線が成す角度が３０°となるようにしている。尚、蛍光ランプ１を取り付ける場合は、ランプ支持具６０に蛍光ランプ１を引っ掛けて固定してからソケット３０に装着する。
【図面の簡単な説明】
【００２９】
【図１】本発明の実施形態の照明器具の分解斜視図である。
【図２】同上のアダプタカバーの分解斜視図である。
【図３】同上のアダプタカバーの取付けを示す断面図である。
【図４】同上のセード及び化粧板を外した状態を示す下方から見た斜視図である。
【図５】同上の完成状態を示す断面図である。
【図６】同上のセードを外した状態を示す図で、（ａ）は下方から見た斜視図で、（ｂ）は下面図である。
【図７】同上の蛍光ランプの誤った取外し方を説明する一部拡大図で、（ａ）は正常な場合を示す図で、（ｂ）はランプ支持具が塑性変形した場合を示す図である。
【図８】同上の蛍光ランプの取付け方法を説明する断面図である。
【図９】同上のランプ支持具の配置を説明する下面図である。
【符号の説明】
【００３０】
１  蛍光ランプ
２  器具本体
３  ベース本体
３０  ソケット
４  本体カバー
５  安定器
６  化粧カバー
６５  突壁
７  アダプタカバー
７７  嵌合片
【図１】
0004595831.tif 000002
【図２】
0004595831.tif 000003
【図３】
0004595831.tif 000004
【図４】
0004595831.tif 000005
【図５】
0004595831.tif 000006
【図６】
0004595831.tif 000007
【図７】
0004595831.tif 000008
【図８】
0004595831.tif 000009
【図９】
0004595831.tif 000010